(57)【要約】      （修正有）【課題】多角錐（略円錐）などのフレーム構造体を構成できる継手及びその継手を用いたインテリアを提供する。【解決手段】継手１０は、リングの外周にパイプを接合する係合片１４ａを設けた嵌合部材１１と、前記嵌合部材１１のリングに嵌める筒状の円筒部の両側にパイプを接合する係合片１４ｂを設けた嵌入部材１２とで構成され、嵌入部材１２の係合片１４ｂを斜めに形成する。この斜めに形成した係合片１４ｂにパイプを連結し、継手１０を介してパイプを連結するとフレームを構成するサークルを形成できるので、パイプの長さを変えれば、多角錐を形成する各段の径の異なるサークルを形成できる。形成した各段のサークルの継手１０の嵌入部材１２を固定し、嵌合部材１１を回転すれば、上下の継手１０の嵌合部材１１の係合片１４ａをパイプで接続し、角錐形のフレーム構造体を構成することができる。【選択図】図１
0003143871.tif 000002
【実用新案登録請求の範囲】
【請求項１】
リングの外周にパイプを接合する係合片を設けた嵌合部材と、前記嵌合部材のリングに嵌める筒状の円筒部の両側にパイプを接合する係合片を設けた嵌入部材とからなり、
前記嵌合部材または嵌入部材の係合片をリングあるいは円筒部の軸に対して斜めに形成するとともに、
前記嵌合部材のリングの内周に突起を設け、
一方、嵌入部材の円筒部には、軸方向に２枚の鍔状のガイドを、間隔を開けて形成し、その隙間へ、嵌入部材を嵌合部材に嵌合した際に、嵌合部材のリングの内周の突起を嵌めるようにした継手。
【請求項２】
上記嵌入部材の係合片の断面を略Ｈ形とするとともに、上記嵌合部材の係合片の断面を略Ｈ形として、Ｈ形の溝を嵌合部材のリングの開口側にして形成し、その略Ｈ形の係合片に略Ｈ形に形成したパイプを接合するようにした請求項１に記載の継手。
【請求項３】
上記略Ｈ形断面の嵌合部材と嵌入部材の係合片に突起状のストッパーを設け、このストッパーと嵌合する孔をパイプに形成した請求項２に記載の継手。
【請求項４】
上記請求項２または３に記載の複数の継手をＨ形のパイプを介して連結し、多角錐のフレーム構造体を形成して、その構造体を形成する継手とパイプで囲まれた各枠に、ホログラムフィルムを透明な樹脂板に貼り付けたホログラム板を枠の溝に嵌めて取り付けたインテリア。
【請求項５】
上記フレーム構造体の中にイルミネーション用のランプを配置した請求項４に記載のインテリア。
【請求項６】
上記多角錐のフレーム構造体をクリスマスツリーとした請求項４または５に記載のインテリア。
【考案の詳細な説明】
【技術分野】
【０００１】
この考案は、パイプを連結する継手及びその継手を用いたクリスマスツリーなどに用いるのに最適なインテリアに関するものである。
【背景技術】
【０００２】
フレーム（枠）を用いた構造体としてパイプを連結した収納ラックなどがある。このような構造体では、パイプを継手でもって水平や垂直に連結することで、簡単に組み立てられるようにしている。
【０００３】
こうした継手の一つとして、（特許文献１）には、図１３に示すような円筒形の継手本体１の周囲に係合片２を設けたものが記載されている。
【０００４】
すなわち、この継手本体１は、円筒の開口３の内部に隔壁を設け、その隔壁にボルトの挿通孔を形成した構造となっている。また、係合片２は、円柱の両側を切り欠いて溝４を設けた略Ｈ型となっている。
【０００５】
そして、このような継手には、円筒形の継手本体１の上下の開口３に、垂直管５と呼ばれるパイプを連結し、周囲の係合片２に水平管６と呼ばれるパイプを連結する。ここで、前記垂直管５は、一方にナット８を備え、他方にボルト７を備えた構成となっており、図のように、垂直管５の両パイプを継手本体１の開口３に嵌入し、他方のパイプから突出したボルト７を継手本体１の挿通孔を介して一方のパイプのナット８に螺合させて連結する。
【０００６】
また、水平管６は、中空の内壁に嵌め片９を突出させてあって、その嵌め片９を継手本体１の係合片２の凹溝４に嵌合する。その際、前記嵌め片９を前記係合片２の根本に形成したスリットに嵌めて回転させることにより、抜け止めとして作用させるというものである。このようにして、パイプを嵌めることで、工具などを使わずにフレーム構造体を組み立てる。
【０００７】
ところで、例えば、図５の実施形態のフレーム構造体５０は、クリスマスツリーを模したインテリアで、パイプ２５を連結して角錐（略円錐）を形成している。すなわち、パイプ２５を連結した４個のサークル（実際には多角形である）３１〜３４を径の小さなものから順に、上下方向に間隔を開けて配置し、パイプ２５でもって連結した構造となっている。
【特許文献１】実用登録第３０９８０６４号公報
【考案の開示】
【考案が解決しようとする課題】
【０００８】
しかしながら、上記の継手本体が円筒形の継手では、円筒形の継手本体の周囲に係合片を設けた構造のため、直方体（立方体）以外のフレームには対処できない問題がある。
【０００９】
例えば、上記の継手では、円筒形の継手本体の軸に対して直角に設けられた係合片を扇形に配置し、係合片に接続したパイプで径の異なるサークルを形成した場合、上下の径の異なるサークルをパイプで連結する際に継手本体を傾斜させなければならない。このように、継手本体が傾斜すると係合片も斜めになってしまう。そのため、継手同士をパイプ（水平管）で連結できなくなって、サークルを作ることができない。このとき、係合片を傾斜に合わせて水平となるように形成することもできるが、そのようにすると傾斜の角度が異なると使えないので、それ専用のものを準備しなければならない。
【００１０】
そこで、この考案の課題は、継手で角錐（略円錐）や角柱（略円柱）のフレームを構成できるようにすることである。その際、角錐や角柱の傾斜角が変わっても使えるようにすることである。
【課題を解決するための手段】
【００１１】
上記の課題を解決するため、この考案では、リングの外周にパイプを接合する係合片を設けた嵌合部材と、前記嵌合部材のリングに嵌める筒状の円筒部の両側にパイプを接合する係合片を設けた嵌入部材とからなり、前記嵌合部材または嵌入部材の係合片をリングあるいは円筒部の軸に対して斜めに形成するとともに、前記嵌合部材のリングの内周に突起を設け、一方、嵌入部材の円筒部には、軸方向に２枚の鍔状のガイドを、間隔を開けて形成し、その隙間へ、嵌入部材を嵌合部材に嵌合した際に、嵌合部材のリングの内周の突起を嵌めるようにした構成を採用したのである。
【００１２】
このような構成を採用することにより、嵌合部材のリングに嵌入部材を嵌める。すなわち、嵌合部材のリングに嵌入部材を挿通し、挿通した嵌入部材の係合片から円筒部をリングに嵌入して、円筒部の２枚のガイドの間にリングの突起を嵌める。こうすることで、突起がガイドに嵌まって、嵌合部材のリングからの脱落を防止し、かつ、嵌入部材を回転させることができる（嵌入部材を固定して嵌合部材を回転させることもできる）。このとき、リングあるいは円筒部の軸に対して斜めに形成された係合片にパイプを接合し、嵌入部材を介してパイプの連結を行なえば、嵌合部材の傾斜角が変わっても係合片に接続されたパイプを辺とするサークル（多角形）を形成できる。このため、例えば、径の異なるサークルを上下に連結する角錐や円錐などのフレーム構造を構成できる。
【００１３】
また、このとき、この考案では、嵌入部材の係合片の断面を略Ｈ形とするとともに、上記嵌合部材の係合片の断面を略Ｈ形として、Ｈ形の溝を嵌合部材のリングの開口側にして形成し、その略Ｈ形の係合片に略Ｈ形に形成したパイプを接合するようにした構成を採用したのである。
【００１４】
このような構成を採用することにより、嵌合部材あるいは嵌入部材を回転させて嵌入部材の係合片の溝の向きを嵌合部材の係合片の溝の向きに合わせることができるので、嵌合部材と嵌入部材の係合片に接合したパイプの溝を合わせることができる。このように両者の溝を合わせることができるので、合わせた溝にパネルを嵌めることができる。
【００１５】
また、このとき、略Ｈ形断面の嵌合部材と嵌入部材の係合片に突起状のストッパーを設け、このストッパーと嵌合する孔をパイプに形成した構成を採用したのである。
【００１６】
このような構成を採用することにより、嵌合部材と嵌入部材の係合片にパイプを接合し、パイプの孔に係合片のストッパーを嵌合すれば、突起と孔とが係合して抜け止めができる。
【００１７】
また、このとき、上記の複数の継手をＨ形のパイプを介して連結し、多角錐のフレーム構造体を形成して、その構造体を形成する継手とパイプで囲まれた各枠に、ホログラムフィルムを透明な樹脂板に貼り付けたホログラム板を枠の溝に嵌めて取り付けた構成を採用したのである。
【００１８】
このような構成を採用することにより、ホログラム板を嵌めたフレーム構造の角錐形のインテリアを提供できる。
【００１９】
また、このとき、フレーム構造体の中にイルミネーション用のランプを配置した構成を採用したのである。
【００２０】
このような構成を採用することにより、構造体内のランプを点灯あるいは点滅させると、拡散効果を有するホログラム板を介して、インテリアに多様な視覚効果を発揮させることができる。
【００２１】
このとき、上記多角錐のフレーム構造体をクリスマスツリーとした構成を採用することにより、クリスマスツリーとして用いることができる。
【考案の効果】
【００２２】
この考案は、上記のように構成したことにより、角錐（略円錐）や角柱（略円柱）のフレーム構造体を継手で構成できる。そのため、例えば、角柱や角錐のフレーム構造体を利用してホログラム板を取り付けた例えば、クリスマスツリーなどのインテリアを構成することができる。その際、フレーム構造体の中に、イルミネーション用のランプを配置すれば、クリスマスに適した多様な視覚効果を得ることができる。
【考案を実施するための最良の形態】
【００２３】
以下、この考案を実施するための最良の形態を図面に基づいて説明する。
【００２４】
図１（ａ）〜（ｃ）に示すように、この形態の継手１０は、嵌合部材１１と嵌入部材１２とからなっている。嵌合部材１１は、図２（ａ）〜（ｃ）に示すように、リング１３の外周にパイプを接合する係合片１４ａを設けた構成となっている。前記リング１３は、図２（ｂ）、（ｄ）に示すように、一方を（内側よりも外側を）太くした逆三角形形状となっており、このような形状とすることで、例えば後述する図３（ａ）、（ｂ）のように、嵌入部材１２の係合片１４ｂを嵌入部材１２の円筒部２０の軸に対して斜めに形成した場合でも、邪魔にならないようにしてある。
【００２５】
このリング１３の内壁には突起１５が設けられている。前記突起１５は、この形態では、図２（ｅ）のように、リング１３の前方側と後方側に対向するようにして設けることで、後述のように嵌入部材１２を嵌めやすく、かつ、外れ難くする。
【００２６】
また、係合片１４ａは、円柱の両側を切り欠いて溝１６を形成し略Ｈ形にしたもので、リング１３の上部と下部に設けてある。そして、その係合片１４ａの両側の溝１６を図１及び図２のように、リング１３の開口側にすることで、後述の実施例１のように、パネル３０の支持ができるようにしてある。この係合片１４ａには、ストッパー１７が設けてある。前記ストッパー１７は、図２（ａ）〜（ｂ）の破線のような楔形のもので、リング１３側が高くなるようにして溝１６の底部に形成してある。さらに、リング１３の外周には、符号１８で示す糸掛け用の突起が設けられており、例えば、この突起１８とパネルを紐で繋ぐことで落下防止などに使えるようにしてある。
【００２７】
一方、嵌入部材１２は、図３（ａ）〜（ｃ）に示すように、筒状の円筒部２０の両側にパイプを接合する係合片１４ｂを設けた構造で、円筒部２０は、前記嵌合部材１１のリング１３に嵌まる大きさに形成してある。この円筒部２０には、軸方向に２枚の鍔状のガイド２１ａ、ｂを、間隔を開けて形成し、その隙間に、先に述べたリング１３の内周の突起１５が嵌まるようにしてある。また、係合片１４ｂは、円柱の両側を切り欠いて溝１６を形成し、略Ｈ形にした嵌合部材１１のものと同様なものである。ここでは、図３（ｂ）のように、傾斜部２２を介して設けることで、図３（ｄ）のように、溝１６を上下にして、円筒部２０の軸に対して斜めになるように形成してある。この係合片１４ｂには、図３（ｃ）の破線のような楔形のストッパー１７が溝１６の底部に設けてあって、ストッパー１７は、嵌合部材１１のものと同様に、円筒部２０側が高くなるように形成してある。
【００２８】
この形態は、上記のように構成されており、この継手１０は、嵌合部材１１と嵌入部材１２を組み合わせて組み立てる。すなわち、嵌合部材１１のリング１３に嵌入部材１２の係合片１４ｂを挿通し、円筒部２０を嵌入して、円筒部２０の２枚のガイドの間にリング１３の突起１５を嵌める。このとき、リング１３の突起１５は、対向する２個所だけなので、嵌入も容易にできる。さらに、嵌入後は、対向する突起１５でもって支持するので（９０度間隔で設けるより１８０度間隔の方が）外れ難い。そのため、嵌入部材１２は、リング１３によって回動自在に支持される。
【００２９】
この継手１０には、図４のようなパイプ２５を接続する。前記パイプ２５は、略Ｈ型の断面形状を有する中空のもので、継手１０の嵌合部材１１と嵌入部材１２の係合片１４ａと１４ｂに嵌めるものである。また、パイプ２５のＨ型の溝１６の水平部分に係止用の四角形の孔２６を設けて、その孔２６にパイプ２５を係合片１４ａと１４ｂに嵌入した際、係合片１４ａ、１４ｂのストッパー１７を嵌める。このとき、ストッパー１７は楔形で円筒部側を高くしてあるので、嵌入しやすく外れ難くなっている。また、接続したパイプ２５には、パイプ２５の溝１６を利用することで、パネル３０を嵌めることができる。
【実施例１】
【００３０】
次に、実施例１として、図５に、この継手１０を使用したフレーム構造体５０を示す。
【００３１】
図５のフレーム構造体５０は、インテリアとして使用するもので、この実施例１のものは、クリスマスツリーとして使用したものである。そのため、４個のサークル３１〜３４を径の小さなものから順に上下方向に間隔を空けて配置し、その上下に配置したサークル３１〜３４をパイプ２５で連結した構成となっている。
【００３２】
また、各段のサークル３１〜３４は、図６のように、継手１０でパイプを連結して組み立てる。その際、二段目３３に使用するパイプ２５は、一段目（最下段）３４に使用するものより長さの短いものを使用する。また、三段目３２に使用するパイプ２５の長さは、二段目３３に使用するものより短いものを使用する。同様に、四段目３１に使用するパイプ２５は、三段目３２に使用するものよりも短いものを使用する。
【００３３】
このように各段のサークル３１〜３４ができると、上下のサークル３１〜３４の接続を行なう。このとき、接続する上下のサークル３１〜３４の径は、上方のものほど小さくなっているので、ここでは、各段のサークル３１〜３４の継手１０の嵌入部材１２を固定し、嵌合部材１１を回転して、上下の継手１０の嵌合部材１１の係合片１４ａをパイプ２５で接続する。また、この各段のサークル３１〜３４をつなぐパイプ２５の長さは上方のものを短くして、傾斜角度を調整する。
【００３４】
また、頭頂部には、図７のように、キャップ４０を被せる。本実施例のキャップ４０は、樹脂製のもので、図７のように、先ず、パイプ２５の先端に枠部材４１を嵌めてピン４２で止め、その後、キャップ４０を被せて、被せたキャップ４０をピン４２で止める。ここで、枠部材４１は、円板に放射状に孔を設けたもので、前記孔にパイプ２５を挿通する。こうすることで、挿通したパイプ２５を所定の間隔で維持し、フレーム構造体５０を保持するようになっている。また、ピン４２は、パイプ２５と同じ略Ｈ形の断面に形成したもので、軸には楔形のストッパー１７が設けてある。このストッパー１７は、嵌合部材１１あるいは嵌入部材１２の係合片１４ａ、１４ｂに設けた楔形と同じもので、パイプ２５の係止用の孔２６に嵌まるようにしてある。その取り付け状態を図８と図９に示す。最後に図１０のように、パイプ２５の溝１６にパネル３０を嵌める。
【００３５】
ここで、パネル３０は、ホログラムフィルム（クロススターフィルム）を透明な樹脂板に貼り付けた透過型拡散ホログラム板で、その形状は、図１１に示すようなものである。すなわち、フレーム構造体５０を形成する継手１０とパイプ２５で囲まれた各枠５１に合わせた台形状に形成したもので、パネル３０の四隅を切り欠いて前記枠５１への嵌入を容易にしてある。特に、下方の左右の切り欠きは、図１１のｄのように、（上方の隅に比べて）大きく切り欠くことで、嵌合部材１１のリング１３と衝突しないように工夫してある。
【００３６】
また、このとき、前記パネル３０を嵌めるパイプ（枠５１の上下のパイプ）２５（サークルを形成する）の溝１６の幅は、パネル３０の厚みに対して大きめに形成することによりパネル３０を、図１２のように、斜めに支持できるようになっている。また、同様に、嵌合部材１１の係合片１４ａのパイプ（枠５１の左右のパイプ）２５の溝１６も大きめに形成することで、パネル３０の嵌入が楽にできるようにしてある。
【００３７】
このように継手１０の嵌合部材１１と嵌入部材１２とを相対的に回転できるようにしたことにより、嵌入部材１２に接続された各段のパイプ２５を水平にしてサークル３１〜３４を形成できるので、角錐形のフレーム構造を容易に構成できる。
【００３８】
このように構成されるクリスマスツリーでは、図５のように、内部に支柱５４などを立てて、多数のＬＥＤを連結したＬＥＤイルミネーション用ストリングス（電球でも可）５５を、例えば支柱５４に巻付け、点灯あるいは点滅させる。すると、ツリー内部からのイルミネーションはホログラムのパネル３０によって拡散され、様々な模様に変化し、クリスマスに最適な多様な光の効果を提供する。
【００３９】
なお、嵌入部材１２の係合片１４ｂのリングあるいは円筒部の軸に対して斜めに形成する角度を変えれば、底面をｎ角形とするｎ角錐（ｎ＞３）も製作することができる。
【００４０】
また、この形態及び実施例１では、両部材１１、１２の係合片１４ａ、１４ｂとその係合片と接続するパイプ２５の断面を略Ｈ形としたが、パネル３０を支持しない場合は、溝１６の必要はないので、Ｈ型以外の、例えば、円形、楕円、三角、四角形・・・とすることもできる。
【００４１】
また、直交するパイプ２５の角度を変えられるので、角柱や角錐の他、円柱や蒲鉾形など直方体以外のフレーム構造体を構成できる。
【産業上の利用可能性】
【００４２】
この継手は、直交するパイプの角度を変えられるので、直方体（立方体）以外の形状のフレーム構造を構成できる。そのため、収納用のラック以外の家具や装飾の分野などのインテリアにも応用可能である。
【図面の簡単な説明】
【００４３】
【図１】（ａ）実施形態の継手の平面図、（ｂ）側面図、（ｃ）断面図
【図２】（ａ）実施形態の嵌合部材の斜視図、（ｂ）平面図、（ｃ）側面図、（ｄ）上面図、（ｅ）断面図
【図３】（ａ）実施形態の嵌入部材の斜視図、（ｂ）平面図、（ｃ）上面図、（ｄ）側面図
【図４】実施形態の作用説明図
【図５】実施例１の斜視図
【図６】実施例１の一部断面図
【図７】実施例１の一部を示す分解斜視図
【図８】実施例１の要部の断面図
【図９】実施例１の要部の斜視図
【図１０】実施例１の要部の一部拡大断面図
【図１１】実施例１のパネルの正面図
【図１２】実施例１の作用説明図
【図１３】従来例の分解斜視図
【符号の説明】
【００４４】
１０  継手
１１  嵌合部材
１２  嵌入部材
１３  リング
１４ａ  係合片
１４ｂ  係合片
１６  溝
１７  ストッパー
２０  円筒部
２１ａ  ガイド
２１ｂ  ガイド
２２  傾斜部
２５  パイプ
２６  孔
３０  パネル
５０  フレーム構造体
５１  枠
５４  支柱
５５  ＬＥＤイルミネーション用ストリングス
【図１】
0003143871.tif 000003
【図２】
0003143871.tif 000004
【図３】
0003143871.tif 000005
【図４】
0003143871.tif 000006
【図５】
0003143871.tif 000007
【図６】
0003143871.tif 000008
【図７】
0003143871.tif 000009
【図８】
0003143871.tif 000010
【図９】
0003143871.tif 000011
【図１０】
0003143871.tif 000012
【図１１】
0003143871.tif 000013
【図１２】
0003143871.tif 000014
【図１３】
0003143871.tif 000015